(57)【要約】      （修正有）【課題】電磁波を減弱、消散させて、撓性箔片の被覆範囲を超過する電磁波を隔絶し、電子素子が周辺精密素子の作動を干渉するのを防止する撓性箔片の提供。【解決手段】撓性箔片は、電磁波を隔絶する極薄の撓性箔片が光滑面を設け、その光滑面は、連続配列された凸部を形成し、この凸部と凸部の間は、撓性箔片の切断、撓曲に便利な薄化層を有し、撓曲後の撓性箔片は電磁波を生成する電子素子を被覆し、且つ、撓性箔片は凸部側面を電子素子方向に設置し、これにより、凸部は電磁波を撓性箔片が被覆する範囲内に多角折射し、且つ、凸部は立体造型であり、電磁波を範囲内に多角折射する。【選択図】図３
0003129467.tif 000002
【実用新案登録請求の範囲】
【請求項１】
撓性箔片であって、電磁波を散発する電子素子を有し、前記電子素子外は、電磁波を隔絶する撓性箔片を被服し、その特徴は、前記撓性箔片の一側に光滑面を設置し、前記光滑面の厚さは０．０２〜０．４mmの間であり、この他、前記光滑面のもう一面はアレイ方式で連続した凸部を形成し、前記凸部の高度は０．０５〜１．５mmの間であることを特徴とする撓性箔片。
【請求項２】
前記光滑面に設けられた前記凸部と凸部間に、前記撓性箔片の撓曲と切断に便利な薄化層を形成することを特徴とする請求項１に記載の撓性箔片。
【請求項３】
前記光滑面に設けられた前記凸部の反面はゲル層を増設し、前記ゲル層外に防護層を貼付することを特徴とする請求項１に記載の撓性箔片。      
【請求項４】
前記撓性箔片は、前記ゲル層を有し、前記ゲル層外に防護層を有し、前記撓性箔片、前記ゲル層、前記防護層は組み合わせ後、湾曲して円状になることを特徴とする請求項１に記載の撓性箔片。  
【考案の詳細な説明】
【技術分野】
【０００１】
本考案は撓性箔片に関し、詳細には、電磁波を発する電子素子を被覆し、電磁波を隔絶、及び、防止する撓性箔片に関する。
【背景技術】
【０００２】
図１は、公知の組み合わせ実施図であり、電磁波を生成する素子は整流器１で、整流器１外は電磁波を折射する平面形態の反射箔板２を被覆し、主に、金属の電磁波を折射する特性を利用し、使用中の整流器１が生成する電磁波の洩れを隔絶する。しかし、反射箔板２の平面形態は折射において、電磁波の効率を弱化させるには限界があり、電磁波を効果的に消耗できない。この他、反射箔板２は、使用材用が金、銀、或いは、銅等の金属を主とし、主に、反射箔板２は導熱の快速性、散熱特性を有し、整流器１の熱エネルギーを消散させるのを助ける。
【０００３】
図２は、公知のもう一つの実施例を示し、導熱、散熱効果を有する反射箔板２を示し、反射箔片２は被散熱物件３（チップ、CPU、或いは、LED、及び、発光モジュールのバック）に貼置され、被散熱物件３が生成する熱エネルギーを吸収し、反射箔板２は貼設面の反対側により、吸収した熱エネルギーを空気集に消散させ、被散熱素子３の作業温度を安定させる。しかし、反射箔板２の全体は平面状態であり、平面状態の散熱効率が実質の効果に符合するかどうか、反射箔板２の実際の使用上の疑問である。
【０００４】
本考案は、反射箔板２の長年の実務経験、及び、この製品の新しい理念により、反射箔片２の拡大電磁者折射角度と面積に対し研究し、公知物件に改良を加え、改良後の実物は実際の運用に組み込まれ、使用範囲を拡大し、更に理想的な製品を開発し、反射箔板２、及び、相関する産業の実質効果と利用価値を高める。
【考案の開示】
【考案が解決しようとする課題】
【０００５】
本考案の目的は、撓性箔片を提供し、上述の問題を解決することを目的とする。
【課題を解決するための手段】
【０００６】
本考案の撓性箔片は立体凸部を形成し、凸部と凸部間に切断、撓曲に便利な薄化層を形成し、撓性箔片は薄化層により撓曲し、その後、撓性箔片は、電磁波を生成する電磁素子を被覆し、且つ、凸部は電子素子方向で、これにより、凸部が電磁波を多角折射し、電磁波の撓性箔片の被覆範囲を制御する。
【考案の効果】
【０００７】
本考案の撓性箔片により、電磁波を発する電子素子を被覆し、電磁波を隔絶、及び、防止することができる。
【考案を実施するための最良の形態】
【０００８】
まず、図３は本考案の立体、局部拡大図であり、超薄の撓性箔片４の一側に光滑面４１を設置し、光滑面４１の厚さは０．０２〜０．４mmの間である。光滑面４１のもう一面は凸部４２を形成し、立体視覚感のある凸部で、アレイ方式で配列され、凸部４２の高度は０．０５〜１．５mmの間であり、凸部４２と凸部４２間に切断、撓曲に便利な薄化層４３を有する。
【０００９】
図４〜図７は本考案の組み合わせ実施図、組み合わせ実施局部図、コンピュータ実施図、機械実施図である。図４は撓性箔片４の実施形態を示し、撓曲後の撓性箔片４は電磁波を生成する電磁素子Aを被覆する（電子素子Aは図１で示される公知の整流器１である）。その後、凸部４２は電子素子A方向で、これにより、凸部４２が電磁波を撓性箔片４が被覆する範囲内で折射する。図５で示されるように、凸部４２は電磁波を撓性箔片４の被覆範囲内に折射し、これにより、電磁波を分散、消散、及び、弱化させ、電磁波の撓性箔片４の被覆範囲を制御する。図６で示されるように、コンピュータX実施時、電子素子Aの電磁波が精密素子Bの作動を干渉するのを防止する。図７で示されるように、機械Yの制御素子Y１、及び、ヒューマン・マシン・インターフェースY２での実施時、電子素子Aの電磁波が周辺の精密電子素子Bの作動を干渉するのを防止する。
【００１０】
図８〜図１０は、本考案の局部切断図、切断製作図、もう一つの切断図である。図８で示されるように、撓性箔片４は使用実施時、使用状況に応じて、撓性箔片４Aを修正、或いは、裁断することができる。図９で示されるように、撓性箔片４の修正、或いは、裁断作業時、はさみCを使用するか、或いは、図１０で示されるように、刃Dで修正してもよい。
【００１１】
図１１、及び、図１２は本考案の第一結合図、第二結合図である。図１１で示されるように、撓性箔片４の光滑面４１は、凸部４２の反面にゲル層５を塗布し、ゲル層５を光滑面４１と被散熱物件３の結合とする。図１２で示されるように、被散熱物件３の結合表面が曲折、或いは、変化する時、撓性箔片４は対応する角度に湾折し、ゲル層５により撓性箔片４の光滑面４１を被散熱物件３上に貼合し、且つ、光滑面４１は凸部４２を貼合面のもう一側から突伸させ、使用中に被散熱物件３が生成する熱エネルギーを光滑面４１から吸収し、光滑面４１により、吸収した熱エネルギーを凸部４２に伝導し、凸部４２により、空気中に消散し、被散熱物件３の熱エネルギー消散の目的を達成する。
【００１２】
図１３、及び、図１４は本考案の第一収置図、第二収置図である。図１３で示されるように、加工完成後の撓性箔片４は円状に撓曲し、撓性箔片４は円状を相互に畳合し、収置する。或いは、図１４で示されるように、撓性箔片４を巻き状（テープ状）に撓曲し、これにより、極小空間で撓性箔片４を収置する。
【００１３】
図１５は本考案のゲル層を示す図で、撓性箔片４の光滑面４１を凸部４２を設置する反面にゲル層５を塗布し、且つ、ゲル層５外に防護層５１を貼付する。その後、撓性箔片４は実施時、防護層５１を除去してゲル層５を露出させ、ゲル層５により貼合を実行する。
【００１４】
図１６〜図１８は、本考案の円錐凸部、三角凸部、円凸部を示す図である。図１６で示されるように、撓性箔片４の光滑面４１は上面に鍛錬により形成される円錐状の凸部４４を有する。或いは、図１７で示されるように、撓性箔片４の光滑面４１は上面に鍛錬により形成される三角錐状の三角凸部４５を有する。図１８で示されるように、撓性箔片４の光滑面４１は上面に鍛錬により形成される半球形の円凸部４６を有する。
【図面の簡単な説明】
【００１５】
【図１】公知の組み合わせ実施例図である。
【図２】公知のもう一つの実施例を示す図である。
【図３】本考案の立体、局部拡大図である。
【図４】本考案の組み合わせ実施例を示す図である。
【図５】本考案の組み合わせ実施例の局部図である。
【図６】本考案のコンピュータ実施を示す図である。
【図７】本考案の機械実施を示す図である。
【図８】本考案の局部裁断図である。
【図９】本考案の裁断製作図である。
【図１０】本考案のもう一つの裁断図である。
【図１１】本考案の第一結合図である。
【図１２】本考案の第二結合図である。
【図１３】本考案の第一収置図である。
【図１４】本考案の第二収置図である。
【図１５】本考案のゲル層を示す図である。
【図１６】本考案の円錐凸部を示す図である。
【図１７】本考案の三角凸部を示す図である。
【図１８】本考案の円凸部を示す図である。
【符号の説明】
【００１６】
１        整流器
２        反射箔板
３        被散熱物件
４        撓性箔片
４A      局部撓性箔片
４０      箔板
４１      光滑面
４２      凸部
４３      薄化層
４４      円錐凸部
４５      三角凸部
４６      円凸部
５        ゲル層
５１      防護層
A        電子素子
B        精密電子素子
C        はさみ
D        刃
X        コンピュータ
Y        機械
Y１      制御素子
Y２      ヒューマン・マシン・インターフェース        
【図１】
0003129467.tif 000003
【図２】
0003129467.tif 000004
【図３】
0003129467.tif 000005
【図４】
0003129467.tif 000006
【図５】
0003129467.tif 000007
【図６】
0003129467.tif 000008
【図７】
0003129467.tif 000009
【図８】
0003129467.tif 000010
【図９】
0003129467.tif 000011
【図１０】
0003129467.tif 000012
【図１１】
0003129467.tif 000013
【図１２】
0003129467.tif 000014
【図１３】
0003129467.tif 000015
【図１４】
0003129467.tif 000016
【図１５】
0003129467.tif 000017
【図１６】
0003129467.tif 000018
【図１７】
0003129467.tif 000019
【図１８】
0003129467.tif 000020